(57)【要約】 【課題】  籍を贈呈する際に贈呈者の手間をかけることなく、贈呈者のメッセージを書籍とともに末永く提供することができる書籍本体のカバーを提供する。【解決手段】  書籍本体に装着される書籍本体のカバーの表面は、表表紙領域Ｒ４と、表表紙領域と第１折り曲げ線を介して連接された第１領域Ｒ５と、第２折り曲げ線を介して連接された背表紙領域Ｒ３と、背表紙領域と第３折り曲げ線を介して連接された裏表紙領域Ｒ２と、裏表紙領域と第４折り曲げ線を介して連接された第２領域Ｒ１とを具備し、第１領域Ｒ５は、メッセージ領域、住所記入領域及び切手貼付領域を含み、第１領域Ｒ５の裏面には、粘着領域ＮＲが形成される。【選択図】図１
2020089984.tif 000002
【特許請求の範囲】
【請求項１】
書籍本体に装着される書籍本体のカバーにおいて、
前記書籍本体のカバーの表面は、
表表紙領域と、
前記表表紙領域と第１折り曲げ線を介して連接された第１領域と、
第２折り曲げ線を介して連接された背表紙領域と、
前記背表紙領域と第３折り曲げ線を介して連接された裏表紙領域と、
前記裏表紙領域と第４折り曲げ線を介して連接された第２領域と
を具備し、
前記第１領域は、メッセージ領域、住所記入領域及び切手貼付領域を含み、
前記第１領域の裏面には、粘着領域が形成される、
書籍本体のカバー。
【請求項２】
前記裏表紙領域には、
前記粘着領域と前記裏表紙領域とを接着するために、前記表表紙領域に隣接しない前記第１領域の長辺を貼り合わせるための基準線がさらに印刷されている、
請求項１記載の書籍本体のカバー。
【発明の詳細な説明】
【技術分野】
【０００１】
本発明は、書籍本体のカバーに関する。
【背景技術】
【０００２】
従来より、印象深い書籍を他人に推薦しプレゼントをするために、当該書籍を郵送して贈ることが行われている。書籍を郵送するためには、贈呈者が当該書籍を封筒や箱に入れ、これら封筒や箱に切手を貼り付け、住所、宛名を記載する必要がある。
【０００３】
また、贈呈者が他人にメッセージを添えたい場合には、書籍を梱包した封筒や箱にメッセージを記した手紙や絵葉書などを同封する必要がある。
【先行技術文献】
【特許文献】
【０００４】
【特許文献１】特開平１１−２０８１４７号公報
【発明の概要】
【発明が解決しようとする課題】
【０００５】
書籍の贈呈者が書籍を封筒や箱に入れて、これら封筒や箱に切手を貼り付け、住所、宛名を記載する場合、書籍や封筒を用意する必要があり、贈呈者の手間がかかってしまうという問題がある。
【０００６】
また、贈呈者が書籍を梱包した封筒や箱にメッセージを記した手紙や絵葉書などを同封して送付する場合、書籍を受領した者が、当該手紙や絵葉書などを廃棄してしまった場合には、贈呈者の思い出を当該書籍とともに思い出すことが困難となってしまう。
【０００７】
本発明は、上記実情に鑑みてなされたものであり、書籍を贈呈する際に贈呈者の手間をかけることなく、贈呈者のメッセージを書籍とともに末永く提供することができる書籍本体のカバーを提供することを目的とする。
【課題を解決するための手段】
【０００８】
実施形態によれば、書籍本体に装着される書籍本体のカバーにおいて、前記書籍本体のカバーの表面は、表表紙領域と、前記表表紙領域と第１折り曲げ線を介して連接された第１領域と、第２折り曲げ線を介して連接された背表紙領域と、前記背表紙領域と第３折り曲げ線を介して連接された裏表紙領域と、前記裏表紙領域と第４折り曲げ線を介して連接された第２領域とを具備し、前記第１領域は、メッセージ領域、住所記入領域及び切手貼付領域を含み、前記第１領域の裏面には、粘着領域が形成される、書籍本体のカバーである。
【発明の効果】
【０００９】
以上詳記したように、本発明によれば、書籍を贈呈する際に贈呈者の手間をかけることなく、贈呈者のメッセージを書籍とともに末永く提供することができる書籍本体のカバーを提供することができる。
【図面の簡単な説明】
【００１０】
【図１】本発明の実施形態に係る書籍本体のカバーＣの表面を示す図である。
【図２】同実施形態に係る書籍本体のカバーＣの裏面を示す図である。
【図３】書籍本体ＢにカバーＣを装着し、書籍本体Ｂを開き領域Ｒ５（第１領域）を見せた状態を示す図である。
【図４】書籍本体ＢにカバーＣを装着し、書籍本体Ｂを開き領域Ｒ１（第２領域）を見せた状態を示す図である。
【図５】書籍本体ＢにカバーＣを装着した状態での裏表紙領域Ｒ２を示す図である。
【図６】書籍本体ＢにカバーＣを装着した状態で、領域Ｒ５（第１領域）を裏表紙領域Ｒ２に貼り合わせた状態を示す図である。
【図７】領域Ｒ５（第１領域）に宛先、メッセージ及び切手を貼付した状態を示す図である。
【発明を実施するための形態】
【００１１】
以下、図面を参照して、本発明の実施形態に係る書籍本体のカバーＣについて説明する。
【００１２】
図１は、本発明の実施形態に係る書籍本体のカバーＣの表面を示す図である。
【００１３】
書籍本体のカバーＣは、長方形の紙部材で形成され、図１に示すように、その表面には表表紙領域Ｒ４と、表表紙領域Ｒ４と谷折り線Ｌ４（第１折り曲げ線）を介して連接された領域Ｒ５（第１領域）と、谷折り線Ｌ３（第２折り曲げ線）を介して連接された背表紙領域Ｒ３と、背表紙領域Ｒ３と谷折り線Ｌ２（第３折り曲げ線）を介して連接された裏表紙領域Ｒ２と、裏表紙領域Ｒ２と谷折り線Ｌ１（第４折り曲げ線）を介して連接された領域Ｒ１（第２領域）とを具備する。
【００１４】
領域Ｒ５の表面には、メッセージ領域Ｍ、住所記入領域Ｊ及び切手貼付領域Ｋをが印刷される。メッセージ領域Ｍには、書籍の贈呈者からのメッセージを記入する領域である。住所記入領域Ｊは、書籍の贈呈先の宛名を記入する領域である。切手貼付領域Ｋは、切手を貼り付ける領域である。
【００１５】
裏表紙領域Ｒ２には、領域Ｒ５の裏面に形成された粘着領域ＮＲ（図３参照）を裏表紙領域Ｒ２と接着するために、表表紙領域Ｒ４に隣接しない第１領域Ｒ５の長辺を貼り合わせるための基準線Ｔがさらに印刷されている。
【００１６】
図２は、同実施形態に係る書籍本体のカバーＣの裏面を示す図である。図２に示すように、領域Ｒ５の裏面には、表表紙領域Ｒ４に隣接しない領域Ｒ５の長辺付近に、長辺に沿って矩形状の粘着領域ＮＲが形成されている。
【００１７】
粘着領域ＮＲは、弱粘着性の部材で形成されていても良い。また、両面テープであっても良い。この場合、ユーザが両面テープの表側を剥がすことにより、領域Ｒ５を裏表紙領域Ｒ２に接着する。書籍本体Ｂ及び書籍本体のカバーＣは、ＰＰ加工が施されていても良い。ＰＰ加工を施すことにより、汚れを防げるとともに、粘着領域ＮＲを書籍本体Ｂ及び書籍本体のカバーＣから剥がし易くなる。なお、ＰＰ加工を施した場合、メッセージ領域Ｍ及び住所記入領域Ｊに油性ペンで記入をすれば問題はないが、より多様なペン等を使用できるよう、これらメッセージ領域Ｍ及び住所記入領域ＪのみＰＰ加工を施さないことも可能である。
【００１８】
図３は、書籍本体ＢにカバーＣを装着し、書籍本体Ｂを開き領域Ｒ５（第１領域）を見せた状態を示す図である。図４は、書籍本体ＢにカバーＣを装着し、書籍本体Ｂを開き領域Ｒ１（第２領域）を見せた状態を示す図である。図５は、書籍本体ＢにカバーＣを装着した状態での裏表紙領域Ｒ２を示す図である。
【００１９】
裏表紙領域Ｒ２の基準線Ｔの位置は、表表紙領域Ｒ４に隣接しない第１領域Ｒ５の長辺を基準線Ｔに合わせた場合に、書籍本体Ｂが郵送による影響でカバーＣから外れないような位置に印刷される。
【００２０】
基準線Ｔの近傍には、例えば、「前カバーを、ここまでひっぱり、しっかり貼り合わせてください、切手を貼ってそのまま投函できます。」のようなメッセージを印刷しても良い。
【００２１】
図６は、書籍本体ＢにカバーＣを装着した状態で、領域Ｒ５（第１領域）を裏表紙領域Ｒ２に貼り合わせた状態を示す図である。図７は、領域Ｒ５（第１領域）に宛先、メッセージ及び切手を貼付した状態を示す図である。
【００２２】
実施形態によれば、図７に示すように、領域Ｒ５（第１領域）を裏表紙領域Ｒ２に貼り合わせた状態で、領域Ｒ５に宛先、メッセージを記入し、切手を貼り付けることにより、そのまま書籍（書籍本体Ｂ及びカバーＣ）を郵送することができるので、書籍を贈呈する際に贈呈者の手間を省くことができる。
【００２３】
また、図７に示すように、カバーＣのメッセージ領域Ｍにメッセージを記入することにより、書籍の受領者に贈呈者の心証を書籍とともに末永く提供することができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
Ｒ１…第２領域、Ｒ２…裏表紙領域、Ｒ３…背表紙領域、Ｒ４…表表紙領域、Ｒ５…第１領域、Ｍ…メッセージ領域、ｊ…住所記入領域、ＮＲ…粘着領域、Ｔ…基準線。
【図１】
2020089984.tif 000003
【図２】
2020089984.tif 000004
【図３】
2020089984.tif 000005
【図４】
2020089984.tif 000006
【図５】
2020089984.tif 000007
【図６】
2020089984.tif 000008
【図７】
2020089984.tif 000009